(57)【要約】【課題】局部的な目詰りをなくするとともに、加湿能力を高めることのできる加湿装置を提供することを目的とする。【解決手段】吸込口１と吹出口２を連通し形成された空気流路４に送風機５を設けた本体３と、本体３の空気流路４に設けた水槽８と、水槽８の溜水に常に下部を浸して回転される中空円筒状の加湿フィルター９とを備え、加湿フィルター９の表面に凸部１２を設け、加湿フィルター９の表面を凹凸形状としたことにより、局部的な目詰りをなくするとともに、加湿能力を高めることのできる加湿装置が得られる。【選択図】図１
2006200762.tif 000002
【特許請求の範囲】
【請求項１】
吸込口と吹出口を連通し形成された空気流路に送風機を設けた本体と、この本体に設けた給水タンクから給水されるように前記空気流路に設けた水槽と、この水槽の溜水に常に下部を浸して回転させる中空同筒状の加湿フィルターとを備え、前記加湿フィルターの表面を凹凸形状とした加湿装置。
【請求項２】
加湿フィルターの中空部に送風方向と平行に複数枚の吸水性素材を配して構成した請求項１記載の加湿装置。
【請求項３】
加湿フィルターの外周層の密度を内週層の密度より粗く構成した請求項１記載の加湿装置。
【請求項４】
加湿フィルターの外周層と内週層との間に保護網を配した請求項３記載の加湿装置。
【発明の詳細な説明】
【技術分野】
【０００１】
本発明は、気化式の加湿装置に関する。
【背景技術】
【０００２】
従来、この種の加湿装置の一例として水槽の水に浸漬した気化フィルターに送風する加湿器が知られている（例えば、特許文献１参照）。
【０００３】
以下、その加湿器について図９および図１０を参照しながら説明する。
【０００４】
図に示すように、水槽部１０１に一定量の水を供給する給水用タンク１０２と吸い込み口１０３と吹き出し口１０４間を連絡する風路中に配設された送風装置１０５と、下部を水槽部１０１の水により湿潤した気化フィルタ１０６に送風して湿分を含む空気を送り加湿していた。
【０００５】
また、気化フィルターを単に円筒状に形成したものも知られていた。
【特許文献１】特開２００４−２７８８８１号公報（〔００１４〕〜〔００２０〕、図１、図２）
【発明の開示】
【発明が解決しようとする課題】
【０００６】
このような従来の加湿器では、気化フィルター１０６は、下部を水槽部１０１に浸漬し、気化フィルター１０６内を上昇した水分を送風装置１０５に接触させて気化するもので、気化フィルター１０６は、一定位置に設置され移動するものでないので気化フィルター１０６に送風が接触する位置が限定され部分的に目詰りを起し易く効率も悪いという課題があり、気化フィルター全体を使用して効率良く加湿することが要求されている。
【０００７】
また、気化フィルターを円筒状に形成し、回転するものにおいては、気化フィルター全体を使用して加湿することにより局部的な目詰りを解消することはできるが、加湿能力が未だ不十分であるという課題があり、加湿能力を高めることが要求されている。
【０００８】
本発明は、このような従来の課題を解決するものであり、局部的な目詰りをなくするとともに、加湿能力を高めることのできる加湿装置を提供することを目的としている。
【課題を解決するための手段】
【０００９】
本発明の加湿装置は上記目的を達成するために、吸込口と吹出口を流通し形成された空気流路に送風機を設けた本体と、この本体に設けた給水タンクから給水されるように前記空気流路に設けた水槽と、この水槽の溜水に常に下部を浸して回転させる中空円筒状の加湿フィルターとを備え、前記加湿フィルターの表面を凹凸形状としたものである。
【００１０】
この手段により、加湿量の増大を図ることができる加湿装置が得られる。
【００１１】
また、他の手段は、加湿フィルターの中空部に送風方向と平行に複数枚の吸水性素材を配して構成したものである。
【００１２】
この手段により、加湿量の増大とともに、騒音の削減を図ることのできる加湿装置が得られる。
【００１３】
また、他の手段は、加湿フィルターの外周層の密度を内週層の密度より粗く構成したものである。
【００１４】
この手段により、効率良く加湿することができる加湿装置が得られる。
【００１５】
また、他の手段は、加湿フィルターの外周層と内週層との間に保護網を配したものである。
【００１６】
この手段により、長期間安定的に加湿能力を発揮することができる加湿装置が得られる。
【発明の効果】
【００１７】
本発明によれば、加湿量の増大を図ることのできる効果のある加湿装置を提供できる。
【００１８】
また、加湿量を増大するとともに、騒音の削減を図ることのできる効果のある加湿装置を提供できる。
【００１９】
また、効率良く加湿することのできる効果のある加湿装置を提供できる。
【００２０】
また、長期間安定的に、加湿能力を発揮することのできる効果のある加湿装置を提供できる。
【発明を実施するための最良の形態】
【００２１】
本発明の請求項１記載の発明は、吸込口と吹出口を連通し形成させた空気流路に送風機を設けた本体と、この本体に設けた給水タンクから給水されるように前記空気流路に設けた水槽と、この水槽の溜水に常に下部を浸して回転させる中空円筒状の加湿フィルターとを備え、前記加湿フィルターの表面を凹凸形状としたものであり、マグネシウム、カルシウム等の化合物が特定箇所に固着せず、加湿フィルターの加湿能力を低下することなく連続して使用することができ、また、加湿フィルターの外径を大きくすることなくフィルター表面積を大きくすることができ、加湿フィルターを通過する風量が増大するので加湿量が増えるという作用を有する。
【００２２】
また、請求項２記載の発明は、加湿フィルターの中空部に送風方向と平行に複数枚の吸水性素材を配して構成したものであり、加湿フィルターの外径を大きくすることなく、フィルター表面積を大きくすることができるとともに、気流は吸水性素材壁に沿ってフィルターを通過することとなり、加湿量が増大するとともに、吸水性素材壁の整流作用により、乱流の発生を抑えて騒音が低減できるという作用を有する。
【００２３】
また、請求項３記載の発明は、加湿フィルターの外周層の密度を内週層の密度より粗く構成したものであり、水槽の溜水に常に下部を浸している加湿フィルターの外周層の密度が粗いので、水を素早く内週層に浸透することができ、加湿フィルター全体が均一に給水して効率良く加湿することができるという作用を有する。
【００２４】
また、請求項４記載の発明は、加湿フィルターの外周層と内週層との間に保護網を配したものであり、フィルター濾材を湿潤・乾燥の繰り返し負荷から保護することができ、加湿フィルターの形状を保持し、強度を上げることができ、加湿フィルターの変形による加湿能力の低下を防ぐことができ、長期間安定的に、快適に加湿能力を発揮することができるという作用を有する。
【００２５】
以下、本発明の実施の形態について図面を参照しながら説明する。
【００２６】
（実施の形態１）
図１〜図５に示すように、吸込口１と吹出口２を有した本体３内に、吸込口１と吹出口２を連通する空気流路４を形成し、空気流路４には、送風機５と加熱手段６を設け、本体３の下方部には給水タンク７から給水される水槽８を引き出し自在に設けている。加湿フィルター９は中空円筒状のフィルター濾材１０と、フィルター濾材１０を円筒形状に維持するフィルター枠１１とにより形成され、フィルター濾材１０は発泡ウレタン基材の表面に多数の凸部１２を設け、表面を凹凸状に形成し、親水性ゼオライトとバインダーからなる溶液を含浸または塗布している。
【００２７】
また、加湿フィルター９を回転する回転手段１３は、本体３に設けた駆動ギア１４を有した駆動手段１５と、加湿フィルター９に設けた従動ギア１６よりなる従動手段１７により形成されている。
【００２８】
上記構成において、給水タンク７から水槽８に給水し、加湿フィルター９の下部を浸漬した状態で加湿装置を運転すると送風機５および加湿フィルター９が回転手段１３により回転し、吸込口１より吸い込まれた空気が送風機５により加熱手段６に送られ、加熱手段６により加熱された温風が、水槽８の溜水に浸されながら回転している加湿フィルター９に接触し、加湿フィルター９に含まれた水分が気化されて加湿される。
【００２９】
このとき、加湿フィルター９の表面には多数の凸部１２を設けて凹凸形状としていることにより、加湿フィルター９の表面が大きくなり、気化面積が増加して加湿能力が高められるとともに、加湿フィルター９を回転していることにより、マグネシウム、カルシウム等の化合物が特定箇所に固着せず加湿フィルター９の加湿能力を低下することなく連続して使用することができるものである。また、凸部１２Ａを図５に示すようにディンプル状にしてもよい。
【００３０】
次に、加湿フィルター９を掃除または交換するときには、運転を停止し、水槽８を引き出し、加湿フィルター９を取り外して掃除または交換を行うことができることとなる。
【００３１】
（実施の形態２）
図６に示すように、フィルター枠１１Ａの内部に吸水性素材１８を複数枚、送風方向と平行となるように並設し、円筒状のフィルター濾材１０Ａ内に収納し、加湿フィルター９Ａの中空部１９に送風方向と平行に複数枚の吸水性素材１８を配して構成する。
【００３２】
上記構成において、水分を含んだ加湿フィルター９Ａに温風が送風されると、円筒状のフィルター濾材１０Ａに含まれた水分が気化されるとともに、フィルター濾材１０Ａの中空部１９にフィルター枠１１Ａを介して配設された吸水性素材１８にも水分が含まれ吸水性素材１８間を通る間に気化し、加湿される。
【００３３】
このとき、加湿フィルター９Ａに送風された温風は、加湿フィルター９Ａの中空部１９に送風方向と平行に複数枚設けた吸水性素材１８の整流作用により、加湿フィルター９Ａの長さ全体に均一に温風が通り加湿フィルター９Ａの前面から略均一に気化され加湿されるとともに、フィルター濾材１０Ａで形成した円筒状部分と吸水性素材１８を設けたフィルター濾材１０Ａの中空部１９の両方から気化し加湿されることとなる。
【００３４】
（実施の形態３）
図７に示すように、円筒状のフィルター濾材１０Ｂを内周層２０と外周層２１により形成し、内周層２０の密度を細かくし、外周層２１の密度を粗く形成して加湿フィルター９Ｂを構成する。
【００３５】
上記構成において、水槽（図示せず）の溜水に下部を浸し回転している加湿フィルター９Ｂの外周層２１の密度が粗いので、水分は素早く内周層２０に浸透し、加湿フィルター９Ｂ全体が均一に水分を含み気化され、加湿される。このように加湿フィルター９Ｂ内に素早く浸透して効率良く加湿することができることとなる。
【００３６】
（実施の形態４）
図８に示すように、加湿フィルター９Ｃの外周層２１Ａと内周層２０Ａとの間に樹脂等で形成した保護網２２を設け構成する。
【００３７】
上記構成において、加湿フィルター９Ｃは、回転して水槽（図示せず）に浸漬し、水分を含んだり、温風に接触して乾燥したりすることを繰り返し行ない、加湿フィルター９Ｃの密度の粗い外周層２１Ａから、密度の細かい内周層２０Ａに素早く水分が浸透し、水分は温風に接触して気化され加湿されることとなる。
【００３８】
このとき、加湿フィルター９Ｃは、水分を含み湿潤したり、温風に接触して乾燥するということが繰り返され、加湿フィルター９Ｃには繰り返し負荷が加わり変形しやすくなるが、外周層２１Ａと内周層２０Ａ間に設けた保護網２２により変形が防止され、加湿フィルター９Ｃは円筒形を維持できるとともに、加湿フィルター９Ｃの清掃時などにおいて、加湿フィルター９Ｃが手で押さえられても容易に変形することがなく、加湿フィルター９Ｃは湿潤・乾燥などの繰り返し負荷に耐えることができ、容易に変形しないようにして長期間安定的に、かつ快適に加湿能力を発揮することができることとなる。
【産業上の利用可能性】
【００３９】
粗い目の層と細かい目の層の間に補強用の保護網を設けることにより、変形のしにくい濾過用のフィルターの用途にも適用できる。
【図面の簡単な説明】
【００４０】
【図１】本発明の実施の形態１の加湿装置の空気流路を示す断面図
【図２】同加湿装置の加湿フィルターの駆動部分を示す断面図
【図３】同加湿装置の加湿フィルターの分解斜視図
【図４】同加湿装置の水槽部を引き出した状態を示す斜視図
【図５】同加湿装置の他のフィルター濾材を示す斜視図
【図６】本発明の実施の形態２の加湿装置の加湿フィルターの分解斜視図
【図７】本発明の実施の形態３の加湿装置の加湿フィルターの分解斜視図
【図８】本発明の実施の形態４の加湿装置の加湿フィルターの断面図
【図９】従来の加湿器の空気流路を示す正面断面図
【図１０】同加湿器の側面断面図
【符号の説明】
【００４１】
１      吸込口
２      吹出口
３      本体
４      空気流路
５      送風機
７      給水タンク
８      水槽
９      加湿フィルター
９Ａ    加湿フィルター
９Ｂ    加湿フィルター
９Ｃ    加湿フィルター
１２    凸部
１２Ａ  凸部
１８    吸水性素材
１９    中空部
２０    内周層
２０Ａ  内周層
２１    外周層
２１Ａ  外周層
２２    保護網
【図１】
2006200762.tif 000003
【図２】
2006200762.tif 000004
【図３】
2006200762.tif 000005
【図４】
2006200762.tif 000006
【図５】
2006200762.tif 000007
【図６】
2006200762.tif 000008
【図７】
2006200762.tif 000009
【図８】
2006200762.tif 000010
【図９】
2006200762.tif 000011
【図１０】
2006200762.tif 000012